(57)【要約】【課題】機構全体を小型化した側路開閉器用操作装置を提供する。【解決手段】ハンドル軸側レバー２１０、主接点軸側レバー２２０を備えている。可動接触子に接続される主接点軸側レバー２２０は、主接点軸２２１を中心軸として回動可能になっている。主接点軸側レバー２２０は、ピン２２２が固着されている。ハンドル軸側レバー２１０は、ハンドル軸２１１を中心軸として回動可能になっており、主接点軸側レバー２２０のピン２２２の根元付近で当接するように屈曲した形状で構成する。側路側から調整器側に強制引外しを行なう場合、ハンドル軸側レバー２１０の平坦部２１３により、主接点軸側レバー２２０のピン２２２を押し出す。この場合、主接点軸側レバー２２０が回動し、主接点軸側レバー２２０に連結されているリンクアーム２３０及び作動レバー２４０が回動して、接点動作を終了し、強制引外しを完了する。【選択図】図１
2014071983.tif 000002
【特許請求の範囲】
【請求項１】
ハンドル軸が固定され、このハンドル軸を中心に回動可能なハンドル軸側レバーと、
主接点軸が固定され、この主接点軸を中心に回動可能な主接点軸側レバーとを備え、
前記ハンドル軸側レバーと前記主接点軸側レバーとは、連結部材及び付勢部材を介して連結されている側路開閉器用操作装置であって、
前記ハンドル軸側レバー及び主接点軸側レバーの一方に、ピンを固定するとともに、
前記ハンドル軸側レバー及び主接点軸側レバーの他方は、回動することにより、前記ピンを押し出す形状をしていることを特徴とする側路開閉器用操作装置。
【請求項２】
前記ピンは、前記主接点軸側レバーに設けられており、
前記ハンドル軸側レバーは、屈曲形状をしており、前記ピンに当接する平坦部と、前記ハンドル軸が設けられた部分との間に段差を備えたことを特徴とする請求項１に記載の側路開閉器用操作装置。
【請求項３】
前記ハンドル軸側レバーは、屈曲形状の両端に平坦部を備えたことを特徴とする請求項２に記載の側路開閉器用操作装置。
【請求項４】
前記ピンは、前記ハンドル軸側レバーに設けられており、
前記主接点軸側レバーは、円弧形状の揺動孔を有し、
前記ピンが前記揺動孔に挿入されていることを特徴とする請求項１に記載の側路開閉器用操作装置。
【発明の詳細な説明】
【技術分野】
【０００１】
本発明は、側路開閉器において、強制引外しを行なうための側路開閉器用操作装置に関する。
【背景技術】
【０００２】
高圧配電線路において、低下又は上昇した配電線路の電圧を正規の電圧に調整するための電圧調整器に併設し、電圧調整器の故障・点検の際に配電線路の送電を停止することがないよう側路開閉器が設けられている（例えば、特許文献１参照）。この文献に記載の側路開閉器においては、ケース内に２つの開閉部を設ける。それぞれの開閉部には、側路用の固定接触子に接触する可動接触子と、調整器側に設けられた固定接触子に接触する可動接触子を備えている。そして、開閉部は複数のリンクからなる操作機構に接続されており、ケース外に設けられたハンドルを操作することによって操作機構を駆動させ、開閉部を開閉操作させるようにしている。この側路開閉器によって電圧調整器から側路に切替える場合にはハンドルを回動させ、複数のリンクからなる操作機構を介して、側路用の固定接触子に可動接触子を接続させ、限流抵抗を介して電圧調整器側及び側路側の両方が接続された状態となる。更に、ハンドルを回動させると、限流抵抗をバイバスして側路が完了する。
【０００３】
逆に、電圧調整器に切替える場合は、ハンドルを上記とは逆の方向に回動させ、複数のリンクからなる操作機構を介して、可動接触子が側路側の固定接触子から離れ、限流抵抗を介して電圧調整器側及び側路側の両方が接続された状態となる。更に、ハンドルを回動させると、可動接触子が駆動されて側路側の固定接触子から離れ、電圧調整器が本線に挿入される。
【０００４】
このような開閉器の接点は、通常、駆動機構のバネ力によって引外している。しかし、電流開閉を繰り返し可動及び固定接点の表面が荒れ、バネ力だけでは引外せなくなった場合に備え、ハンドルの回転トルクを直接接点部に伝達する強制引外し機構を別に設けている。
【０００５】
ここで、この強制引外し機構を含む気中開閉器の操作装置の一例を、図５を用いて詳述する。
図５に示すように、気中開閉器の取付板１００、ハンドル軸側レバー１１０、主接点軸側レバー１２０、コンロッド１３０を備える。このハンドル軸側レバー１１０の一端は、ハンドル軸１１１を中心として回動可能になっている。ハンドル軸側レバー１１０の他端には、可動連結点１１２を介してコンロッド１３０が接続されている。このコンロッド１３０には、長孔の揺動孔１３１が設けられている。
【０００６】
主接点軸側レバー１２０の一端は、主接点軸１２１を中心として回動可能になっている。主接点軸側レバー１２０の他端には、ピン１２２が設けられており、コンロッド１３０の揺動孔１３１に挿入されている。
【０００７】
図５（ａ）は、気中開閉器の強制引外し前の状態を示している。この状態においては、ピン１２２は、コンロッド１３０の中央付近にある。そして、強制引外しを開始する場合には、図５（ｂ）に示すように、ハンドル軸側レバー１１０を主接点軸側レバー１２０に当接させる。この場合、主接点軸側レバー１２０は、ハンドル軸側レバー１１０の衝突衝撃及びコイルばねの力により、図５（ｃ）に示すように、主接点の接触子の引外しが行なわれる。
【先行技術文献】
【特許文献】
【０００８】
【特許文献１】特公昭５５−１３０９２号公報
【発明の概要】
【発明が解決しようとする課題】
【０００９】
上述した気中開閉器では、ハンドル軸１１１及び主接点軸側レバー１２０に対して、直線状のコンロッド１３０が取り付けられている。そして、コンロッド１３０は、強制引外しの開始タイミングに揺動孔１３１の端部が主接点軸側レバー１２０のピン１２２に当接可能な構造をしている。このため、ピン１２２が挿入される揺動孔１３１の長さは、ハンドル軸１１１の動作開始から強制引外し開始前に相当する距離Ｌ１と、接点切替時の主接点軸回転角度に相当する距離Ｌ２により決まる。
【００１０】
そして、側路開閉器は、気中開閉器に比べ、ハンドル回転角度及び可動接点の回転角度が大きいため、強制引外し機構も大きくなる。このため、側路開閉器では、この揺動孔１３１は更に長くなるため、この揺動孔１３１が形成されるコンロッド１３０も長くする必要があり、機構全体が大型になる傾向があった。
【００１１】
本発明は、上記課題を解決するためになされたものであって、その目的は、機構全体を小型化した側路開閉器用操作装置を提供することにある。
【課題を解決するための手段】
【００１２】
上記問題点を解決するために、請求項１に記載の発明は、ハンドル軸が固定され、このハンドル軸を中心に回動可能なハンドル軸側レバーと、主接点軸が固定され、この主接点軸を中心に回動可能な主接点軸側レバーとを備え、前記ハンドル軸側レバーと前記主接点軸側レバーとは、連結部材及び付勢部材を介して連結されている側路開閉器用操作装置であって、前記ハンドル軸側レバー及び主接点軸側レバーの一方に、ピンを固定するとともに、前記ハンドル軸側レバー及び主接点軸側レバーの他方は、回動することにより、前記ピンを押し出す形状をしていることを要旨とする。
【００１３】
請求項２に記載の発明は、請求項１に記載の側路開閉器用操作装置において、前記ピンは、前記主接点軸側レバーに設けられており、前記ハンドル軸側レバーは、屈曲形状をしており、前記ピンに当接する平坦部と、前記ハンドル軸が設けられた部分との間に段差を備えたことを要旨とする。
【００１４】
請求項３に記載の発明は、請求項２に記載の側路開閉器用操作装置において、前記ハンドル軸側レバーは、屈曲形状の両端に平坦部を備えたことを要旨とする。
請求項４に記載の発明は、請求項１に記載の側路開閉器用操作装置において、前記ピンは、前記ハンドル軸側レバーに設けられており、前記主接点軸側レバーは、円弧形状の揺動孔を有し、前記ピンが前記揺動孔に挿入されていることを要旨とする。
【００１５】
（作用）
本開示によれば、ハンドル軸側レバー及び主接点軸側レバーの一方に、ピンを固定するとともに、ハンドル軸側レバー及び主接点軸側レバーの他方は、回動することにより、ピンを押し出す形状をしている。これにより、ハンドル軸側レバー及び主接点軸側レバーの他方が、ピンを直接、押し出すので、コンロッドを省略することができ、部品点数を少なくすることができる。更に、ハンドル軸側レバー及び主接点軸側レバーの他方が、回動することによりピンを押し出すので、直線運動によって押し出す場合に比べて、機構全体を小型化することができる。
【００１６】
本開示によれば、ピンは、主接点軸側レバーに設けられており、ハンドル軸側レバーは、屈曲形状をしており、ピンに当接する平坦部と、ハンドル軸が設けられた部分との間に段差が設けられている。これにより、ハンドル軸側レバーが回動することにより、主接点軸側レバーのピンを押し出すので、機構全体を小型化することができる。
本開示によれば、ハンドル軸側レバーは、屈曲形状の両端に平坦部を備えているので、ピンを両方向から押し出すことができる。
【００１７】
本開示によれば、ピンは、ハンドル軸側レバーに設けられており、主接点軸側レバーは、円弧形状をしており、主接点軸側レバーには、外縁近傍に、円弧形状の長孔の揺動孔が形成されており、ピンが、揺動孔に挿入されている。これにより、主接点軸側レバーが回動することにより、ハンドル軸側レバーのピンを押し出すので、機構全体を小型化することができる。
【発明の効果】
【００１８】
本発明によれば、機構全体を小型化することができる。
【図面の簡単な説明】
【００１９】
【図１】第１実施形態における側路開閉器用操作装置の構成図であって、（ａ）は強制引外し前の上面図、（ｂ）は斜視図。
【図２】第１実施形態における側路開閉器用操作装置の強制引外し開始時の位置関係の説明図。
【図３】第１実施形態における側路開閉器用操作装置の強制引外し完了時の位置関係の説明図。
【図４】変更例における側路開閉器用操作装置の要部の位置関係の説明図であり、（ａ）は強制引外し前、（ｂ）は強制引外し開始時、（ｃ）は強制引外し完了後の状態を示す。
【図５】従来技術における側路開閉器用操作装置の要部の位置関係の説明図であり、（ａ）は強制引外し前、（ｂ）は強制引外し開始時、（ｃ）は強制引外し完了後の状態を示す。
【発明を実施するための形態】
【００２０】
（第１の実施形態）
以下、本発明を具体化した側路開閉器用操作装置の一実施形態を図１〜図３に従って説明する。
【００２１】
図１（ａ）に示すように、側路開閉器用操作装置には、取付板２００において、ハンドル軸側レバー２１０、主接点軸側レバー２２０が設けられている。このハンドル軸側レバー２１０は、ハンドル軸２１１を中心軸として回動可能になっている。ハンドル軸側レバー２１０は、「側路」、「調整器入」状態から引外す際に、後述する主接点軸側レバー２２０のピン２２２の根元付近で当接するように屈曲した形状（本実施形態では「への字」形状）で構成する。更に、このハンドル軸側レバー２１０には、段差部２１２を介して、平坦部２１３が一体形成されている。
【００２２】
一方、主接点軸側レバー２２０は、主接点軸２２１を中心軸として回動可能になっており、可動接触子（図示せず）に接続される。更に、主接点軸側レバー２２０には、ピン２２２が溶接により固着されている。このピン２２２は、強制引外し時に、ハンドル軸側レバー２１０の平坦部２１３が当接可能な位置に配置される。
【００２３】
ハンドル軸側レバー２１０、主接点軸側レバー２２０以外の構成部材については、スケルトンにより接続関係を示す。具体的には、主接点軸側レバー２２０は、可動連結軸２３１を介して、リンクアーム２３０の一端が接続される。このリンクアーム２３０の他端は、可動連結軸２３２を介して、作動レバー２４０に接続される。この作動レバー２４０は、回転軸２４１を中心として、回動可能になっている。
【００２４】
また、ハンドル軸側レバー２１０には、ハンドル軸２１１にリンク板２５０が取り付けられる。
【００２５】
リンク板２５０は、可動連結軸２６１を介して、リンクアーム２６０の一端に接続される。このリンクアーム２６０の他端は、可動連結軸２６２を介して、屈曲した連結板２７０に接続される。このリンクアーム２６０は、回転軸２４１を中心として、回動可能になっている。
【００２６】
この連結板２７０の他端と、作動レバー２４０の他端とは、付勢部材としてのコイルばね２９０により接続される。
更に、取付板２００には、ストッパ２８１，２８２が設けられる。このストッパ２８１，２８２は、作動レバー２４０、連結板の２７０の回動限界を定める。すなわち、調整器側に投入した場合には、作動レバー２４０がストッパ２８２に当接し、連結板２７０がストッパ２８１に当接する。一方、側路側に投入した場合には、作動レバー２４０がストッパ２８１に当接し、連結板２７０がストッパ２８２に当接する。
【００２７】
図１（ｂ）に示すように、最下層の取付板に対して、主接点軸側レバー２２０が設けられている。主接点軸側レバー２２０の上層には、ハンドル軸側レバー２１０、リンクアーム２３０が設けられている。リンクアーム２３０の上層には、作動レバー２４０が設けられている。また、ハンドル軸側レバー２１０の上層には、リンク板２５０、リンクアーム２６０が、その順に設けられている。リンクアーム２６０の下層には、連結板の２７０が設けられており、連結板の２７０は作動レバー２４０とコイルばね２９０を介して連結されている。
【００２８】
（作用）
次に、上述した側路開閉器用操作装置の作用について説明する。
強制引外しを行なう前には、ハンドル軸側レバー２１０は、図１に示す位置に配置される。この場合、連結板２７０がストッパ２８１に当接し、作動レバー２４０がストッパ２８２に当接する。
【００２９】
側路側から調整器側に強制引外しを行なう場合、図１における第１の方向（反時計回り方向）に、ハンドル軸２１１を回転させて、ハンドル軸側レバー２１０を回動させる。
その後、ハンドル軸側レバー２１０を、主接点軸側レバー２２０のピン２２２に当接する位置まで回動させる。そして、ハンドル軸側レバー２１０の平坦部２１３により、主接点軸側レバー２２０のピン２２２を押し出すことにより、図２に示すように、強制引外しが開始される。この場合、リンク板２５０が回動し、これに可動連結軸２６１を介して接続されるリンクアーム２６０、これに可動連結軸２６２を介して接続される連結板２７０も回動する。一方、主接点軸側レバー２２０に可動連結軸２３１を介して接続されるリンクアーム２３０、これに可動連結軸２３２を介して接続される作動レバー２４０はそのままの位置となる。この場合、作動レバー２４０と連結板２７０とに接続されているコイルばね２９０は圧縮される。
【００３０】
図３に示すように、主接点軸側レバー２２０のピン２２２が押し出されると、主接点軸側レバー２２０が回動する。この場合、主接点軸側レバー２２０に連結されているリンクアーム２３０及び作動レバー２４０が回動して、接点動作を終了し、強制引外しを完了する。
【００３１】
また、調整器側から側路側に強制強制引外しを行なう場合には、図３に示す状態において、第１の方向とは逆方向である第２の方向（本実施形態においては、時計回り方向）に、ハンドル軸側レバー２１０を回動させる。この場合には、ハンドル軸側レバー２１０の他端の平坦部２１３がピン２２２に当接して、図２に示す状態を経て、図１に示す状態に遷移する。
【００３２】
本実施形態によれば、以下のような効果を得ることができる。
（１）本実施形態の側路開閉器用操作装置は、ハンドル軸側レバー２１０、主接点軸側レバー２２０を備えている。可動接触子に接続される主接点軸側レバー２２０は、主接点軸２２１を中心軸として回動可能になっている。主接点軸側レバー２２０は、ピン２２２が固着されている。ハンドル軸側レバー２１０は、ハンドル軸２１１を中心軸として回動可能になっており、主接点軸側レバー２２０のピン２２２の根元付近で当接するように屈曲した形状で構成する。これにより、側路側から調整器側への強制引外しや調整器側から側路側への強制引外しを行なう場合、ハンドル軸側レバー２１０が、主接点軸側レバー２２０のピン２２２を、直接、押し出すので、コンロッドを省略することができ、部品点数を少なくすることができる。更に、ハンドル軸側レバー２１０が、回動することによりピン２２２を押し出すので、直線運動によって押し出す場合に比べて、機構全体を小型化することができる。
【００３３】
（第２の実施形態）
次に、本発明の第２の実施形態について、図４を用いて説明する。上記第１の実施形態において、主接点軸側レバー２２０のピン２２２にハンドル軸側レバー２１０を当接したが、本実施形態では、ハンドル軸側レバーにピンを設け、これに主接点軸側レバーを当接させる。また、本実施形態では、第１実施形態と同様な部分については、同一の符号を付し、その詳細な説明は省略する。
【００３４】
図４に示すように、本実施形態の側路開閉器用操作装置には、取付板３００において、ハンドル軸側レバー３１０、主接点軸側レバー３２０が設けられている。本実施形態では、第１の実施形態における屈曲形状のハンドル軸側レバー２１０の代わりに、直線形状のハンドル軸側レバー３１０を設ける。このハンドル軸側レバー３１０には、その一端にハンドル軸３１１が設けられており、その他端にはピン３１２が設けられている。このハンドル軸側レバー３１０は、ハンドル軸３１１を中心軸として回動可能になっている。このハンドル軸３１１は、上記実施形態のハンドル軸２１１と同様に、ハンドル軸３１１に対して、リンク板（図示せず）が、ハンドル軸側レバー３１０と一定の角度を維持するように設けられている。なお、リンク板は、可動連結軸を介してリンクアームに接続され、このリンクアームは可動連結軸を介して連結板に接続される。
【００３５】
一方、主接点軸側レバー３２０は、主接点軸３２１を回転軸として回動可能になっており、可動接触子（図示せず）に接続される。この主接点軸側レバー３２０には、揺動孔３２２が設けられている。この揺動孔３２２は、主接点軸３２１を中心とした円弧形状の長穴である。この揺動孔３２２には、ハンドル軸側レバー３１０のピン３１２が挿入されている。そして、この揺動孔３２２は、強制引外し時に、ハンドル軸側レバー３１０のピン３１２に当接する長さで形成されている。更に、主接点軸側レバー３２０の一端部には、第１の実施形態と同様に、可動連結軸（図示せず）を介してリンクアーム（図示せず）の一端が接続されている。リンクアームは、可動連結軸を介して作動レバー（図示せず）に接続され、作動レバーはコイルばね（図示せず）を介して連結板に接続されている。
【００３６】
（作用）
次に、図４を用いて、本実施形態の側路開閉器用操作装置の作用を説明する。
図４（ａ）に示すように、強制引外しを行なう前には、ハンドル軸側レバー３１０のピン３１２は、主接点軸側レバー３２０の揺動孔３２２の左端部近傍に位置する。
【００３７】
図４（ｂ）に示すように、側路側から調整器側に強制引外しを行なう場合、第１の方向（反時計回り方向）に、ハンドル軸３１１を回転させて、ハンドル軸側レバー３１０を回動させる。この場合、ハンドル軸側レバー３１０のピン３１２は、主接点軸側レバー３２０の揺動孔３２２内を移動して、揺動孔３２２の右端部に当接する。
【００３８】
図４（ｃ）に示すように、主接点軸側レバー３２０のピン３１２が押し出されると、主接点軸側レバー３２０が回動する。この場合、主接点軸側レバー３２０に連結されているリンクアーム及び作動レバーが回動して、接点動作を終了し、強制引外しを完了する。
【００３９】
また、調整器側から側路側に強制引外しを行なう場合には、図４（ｃ）に示す状態において、第１の方向とは逆方向である第２の方向（本実施形態においては、時計回り方向）に、ハンドル軸側レバー３１０を回動させる。この場合には、揺動孔３２２の右端部が主接点軸側レバー３２０のピン３１２に当接して、図４（ｂ）に示す状態を経て、図４（ａ）に示す状態に遷移する。
【００４０】
本実施形態によれば、以下のような効果を得ることができる。
（２）本実施形態では、本実施形態の側路開閉器用操作装置は、ハンドル軸側レバー３１０、主接点軸側レバー３２０を備えている。ハンドル軸側レバー３１０は、ハンドル軸３１１を中心軸として回動可能になっている。ハンドル軸側レバー３１０には、その一端にハンドル軸３１１が設けられており、その他端にはピン３１２が設けられている。可動接触子に接続される主接点軸側レバー３２０は、主接点軸３２１を中心軸として回動可能になっている。主接点軸側レバー３２０には、主接点軸３２１を中心とした円弧形状の長穴である揺動孔３２２が設けられている。この揺動孔３２２には、ハンドル軸側レバー３１０のピン３１２が挿入されている。この揺動孔３２２は、強制引外し時に、ハンドル軸側レバー３１０のピン３１２に当接する長さで形成されている。これにより、調整器を投入するために強制引外しを行なう場合、主接点軸側レバー３２０の揺動孔３２２の右端部において、主接点軸側レバー３２０のピン３１２が、直接、押し出されるので、コンロッドを省略することができ、部品点数を少なくすることができる。更に、主接点軸側レバー３２０が、回動することによりピン３１２を押し出すので、直線運動によって押し出す場合に比べて、機構全体を小型化することができる。
【００４１】
また、上記各実施形態は、以下のように変更してもよい。
・上記第１の実施形態においては、主接点軸側レバー２２０にピン２２２を設けたが、ハンドル軸側レバー２１０にピンを設けることも可能である。この場合には、ハンドル軸側レバー２１０の両端に、ピンを設ける。
【００４２】
・上記第２実施形態においては、ハンドル軸側レバー３１０にピン３１２を設けたが、主接点軸側レバー３２０にピンを設けることも可能である。この場合には、ハンドル軸側レバー３１０に、ピンを回動可能な長穴を設ける。
【００４３】
（付記）
次に、上記実施形態及び別例から把握できる技術的思想について、それらの効果とともに以下に追記する。
調整器と側路とを切り替える側路開閉器であって、ハンドル軸が固定され、このハンドル軸を中心に回動可能なハンドル軸側レバーと、主接点軸が固定され、この主接点軸を中心に回動可能な主接点軸側レバーとを備え、前記ハンドル軸側レバーと前記主接点軸側レバーとは、連結部材及び付勢部材を介して連結され、前記ハンドル軸側レバー及び主接点軸側レバーの一方に、ピンを固定するとともに、前記ハンドル軸側レバー及び主接点軸側レバーの他方は、回動することにより、前記ピンを押し出す形状をしている側路開閉器用操作装置を備えたことを特徴とする側路開閉器。
これにより、側路開閉器自身を小型化することができる。
【符号の説明】
【００４４】
２００，３００…取付板、２１０，３１０…ハンドル軸側レバー、２１１，３１１…ハンドル軸、２１２…段差部、２１３…平坦部、２２０，３２０…主接点軸側レバー、２２１，３２１…主接点軸、２２２，３１２…ピン、２３０…リンクアーム、２３１…可動連結軸、２３２…可動連結軸、２４０…作動レバー、２４１…回転軸、２５０…リンク板、２６０…リンクアーム、２６１…可動連結軸、２６２…可動連結軸、２７０…連結板、２８１，２８２…ストッパ、２９０…コイルばね、３２２…揺動孔。
【図１】
2014071983.tif 000003
【図２】
2014071983.tif 000004
【図３】
2014071983.tif 000005
【図４】
2014071983.tif 000006
【図５】
2014071983.tif 000007